(57)【要約】【課題】低コストとして、メンテナンス等の作業性を向上させた熱源機を提供する。【解決手段】筐体８と、筐体８の前面を閉塞する前面パネル１５と、前面パネル１５の窓穴１５ａから露出する操作パネル１２が設けられた操作パネルユニット１０と、操作パネルユニット１０の操作制御基板と、操作制御基板に電気的に接続された運転制御基板１１と、運転制御基板１１を収容する基板ケース９とを備える。基板ケース９は、底部１６と壁部１７とを備え、壁部１７と操作パネルユニット１０の縁部との何れか一方に連結部２０，２１を備え、他方に被連結部１８，１９を備える。基板ケース９の底部１６は操作パネル１２に対向する。【選択図】図４
2019211181.tif 000002
【特許請求の範囲】
【請求項１】
筐体と、該筐体の前面を閉塞する前面パネルと、該前面パネルに開設した窓穴から露出する操作パネルが設けられた操作パネルユニットと、該操作パネルユニットに設けられた操作制御基板と、該操作制御基板に電気的に接続された運転制御基板と、前記筐体側に固定され、前記運転制御基板を収容する基板ケースとを備える熱源機において、
前記基板ケースは、底部と、該底部から前方に向かって突出する壁部とを備え、
前記基板ケースの前記壁部と前記操作パネルユニットの縁部との何れか一方に連結部を備え、他方に被連結部を備え、
前記基板ケースの前記底部は、前記操作パネルに対向することを特徴とする熱源機。
【請求項２】
前記操作パネルユニットは、前記基板ケースの前記壁部と前記操作パネルユニットの縁部とを連結したとき、前記運転制御基板の前方の一部を開放することを特徴とする請求項１記載の熱源機。
【請求項３】
前記操作パネルユニットは、前方から見て矩形状に形成されており、
前記基板ケースの前記壁部は、前記操作パネルユニットの少なくとも２辺側の夫々の縁部の後面に当接していることを特徴とする請求項２記載の熱源機。
【請求項４】
前記基板ケースの前記底部は、前記操作パネルユニットの後側面に当接する柱状支持部を備えることを特徴とする請求項１〜３の何れか１項記載の熱源機。
【発明の詳細な説明】
【技術分野】
【０００１】
本発明は、給湯暖房機等の熱源機に関し、特に、例えば温度調整等のための操作スイッチが筐体の前面パネルから露出していて屋内設置に好適な熱源機に関する。
【背景技術】
【０００２】
従来、給湯暖房機等の熱源機においては、その筐体の前面を閉塞する前面パネルに、操作パネルユニット（例えばリモコンユニット等）を配置したものが知られている(例えば、特許文献１参照)。
【０００３】
操作パネルユニットは、暖房温度や給湯温度等の各種設定を行うための操作スイッチを備える操作部や各種情報を表示するための表示部が設けられた操作パネルを備え、内部に操作制御基板を備えている。そして、操作パネルユニット内の操作制御基板は、熱源機の運転を制御する運転制御基板に電気的に接続されている。
【０００４】
熱源機の前面パネルには、操作パネルユニットの操作パネル（操作スイッチ及び表示部等）を露出させる窓穴が開設されている。そして、操作パネルユニットは、前面パネルの内側面に金属製のブラケットを介して連結され、操作パネルを窓穴から露出させた状態で前面パネルに支持される。
【先行技術文献】
【特許文献】
【０００５】
【特許文献１】特開２００５−１７２３４５号公報
【発明の概要】
【発明が解決しようとする課題】
【０００６】
しかし、操作パネルユニットを前面パネルに連結支持するためにブラケットを用いると、部品点数が多くなり、それに伴い操作パネルユニットの組み付け工数も多くなるために、コストが高くなる不都合がある。
【０００７】
また、操作パネルユニットが前面パネルに連結されていると、メンテナンス作業等を行うために筐体から前面パネルを取り外すとき、前面パネルと共に操作パネルユニットが制御基板から離間する。このため、筐体の前面を開放する度に操作パネルユニットと制御基板とのリード線等による電気的な接続を解除する作業が必要となって、筐体の前面を開放するときの手間がかかり、メンテナンス時の作業性が低い不都合がある。
【０００８】
以上の点に鑑み、本発明は、低コストとして、メンテナンス等の作業性を向上させた熱源機を提供することを目的とする。
【課題を解決するための手段】
【０００９】
かかる目的を達成するために、本発明は、筐体と、該筐体の前面を閉塞する前面パネルと、該前面パネルに開設した窓穴から露出する操作パネルが設けられた操作パネルユニットと、該操作パネルユニットに設けられた操作制御基板と、該操作制御基板に電気的に接続された運転制御基板と、前記筐体側に固定され、前記運転制御基板を収容する基板ケースとを備える熱源機において、前記基板ケースは、底部と、該底部から前方に向かって突出する壁部とを備え、前記基板ケースの前記壁部と前記操作パネルユニットの縁部との何れか一方に連結部を備え、他方に被連結部を備え、前記基板ケースの前記底部は、前記操作パネルに対向することを特徴とする。
【００１０】
本発明によれば、連結部と被連結部とで基板ケースの壁部と操作パネルユニットの縁部とを連結したことにより、従来のようなブラケットを不要とすることができ、部品点数や操作パネルユニットの筐体への組み付け工数を少なくしてコストを低減することができる。
【００１１】
更に、基板ケースの底部からは、前方に向かって壁部が突出しており、基板ケースの壁部に連結された操作パネルユニットの操作パネルには、基板ケースの底部が対向するので、操作パネルは前向きの姿勢となる。これにより、操作パネルユニットを前面パネルに連結することなく、操作パネルを窓穴から露出させることができる。そして、筐体から前面パネルを取り外すときには、従来のような操作パネルユニットと運転制御基板との接続を解除する作業が不要となり、メンテナンス等の作業性を向上させることができる。
【００１２】
また、本発明において、前記操作パネルユニットは、前記基板ケースの前記壁部と前記操作パネルユニットの縁部とを連結したとき、前記運転制御基板の前方の一部を開放することを特徴とする。
【００１３】
これによれば、前記操作パネルユニットが前記基板ケースに連結されていても、前記操作パネルユニットに覆われずに開放されている部分から前記運転制御基板に対するメンテナンス作業等を容易に行うことができる。
【００１４】
更に、前記操作パネルユニットは、前方から見て矩形状に形成されており、前記基板ケースの前記壁部は、前記操作パネルユニットの少なくとも２辺側の夫々の縁部の後面に当接していることを特徴とする。
【００１５】
これによれば、操作パネルユニットの２辺以上が基板ケースの壁部によって支持されるので、操作パネルユニットの撓みや歪み等の変形を抑えた状態で操作パネルユニットを保持することができる。
【００１６】
更に、本発明において、前記基板ケースの前記底部は、前記操作パネルユニットの後側面に当接する柱状支持部を備えることを特徴とする。
【００１７】
これによれば、基板ケースの壁部が操作パネルユニットを支持し、更に柱状支持部が操作パネルユニットの後側面に当接して操作パネルユニットを支持するので、操作パネルの押圧操作時に生じるおそれのある操作パネルユニットの撓みや歪み等の変形を確実に防止することができる。
【図面の簡単な説明】
【００１８】
【図１】本発明の実施形態の熱源機の概略構成を示す図。
【図２】本実施形態の熱源機の外観を示す斜視図。
【図３】操作パネルユニットを連結した基板ケースの正面図。
【図４】基板ケースを示す斜視図。
【図５】操作パネルユニットを示す斜視図。
【発明を実施するための形態】
【００１９】
本発明の一実施形態を図面に基づいて説明する。本実施形態の熱源機１は、図１に概略構成を示すように、バーナ２が燃焼することにより燃焼排気が生成される燃焼室３と、燃焼室３の燃焼排気によって加熱される熱交換器４とを備えている。
【００２０】
バーナ２には、燃料ガス供給管５から燃料ガスが供給され、燃焼室３の上部に設けられた燃焼ファン６から燃焼空気が供給される。バーナ２は燃焼室３内で下向きに火炎を形成する。バーナ２による燃焼排気は、燃焼ファン６の気流により熱交換器４を上方から下方に通過し、排気筒７を経て機外へ放出される。
【００２１】
燃焼ファン６、燃焼室３、熱交換器４等の熱源機１の構成部品は筐体８の内部に収容されている。更に、筐体８の内部には、基板ケース９とリモコンとしての機能を有する操作パネルユニット１０とが設けられている。
【００２２】
基板ケース９の内部には、バーナ２の燃焼制御を行うための運転制御基板１１が収容されている。操作パネルユニット１０は、正面視略矩形状に形成された操作パネル１２を備えている。操作パネル１２は各種の設定を行うための複数の操作スイッチからなる操作部１３と、各種の情報を表示する表示部１４とを備えている。更に、図示しないが、操作パネルユニット１０の内部には操作制御基板が設けられている。操作パネルユニット１０の操作制御手段は、図示しないリード線及びコネクタ等を介して運転制御基板１１と電気的に接続されている。
【００２３】
また、本実施形態において、操作パネルユニット１０の背面は、図示しないが、裏板により閉塞されている。なお、操作パネルユニット１０の背面は開放されていてもよい。
【００２４】
図２に示すように、筐体８は、その前面側が前面パネル１５により閉塞されている。前面パネル１５には、操作パネルユニット１０が備える操作パネル１２を露出させるための窓穴１５ａが開設されている。
【００２５】
操作パネルユニット１０は、図３に示すように、基板ケース９に連結されている。基板ケース９は、図４に示すように、運転制御基板１１に対応する矩形状の底部１６と、底部１６の周縁から前方に向かって突出する壁部１７とを備えている。基板ケース９の底部１６は、運転制御基板１１を介して前面パネル１５に対向する。壁部１７は、上壁部１７ａ、下壁部１７ｂ、左壁部１７ｃ、及び右壁部１７ｄにより構成され、運転制御基板１１を囲っている。
【００２６】
更に、基板ケース９は、下壁部１７ｂの下方に延びる脚部９ａを備えている。脚部９ａは、図１に示すように、筐体８の下部にネジ留め等により連結されている。
【００２７】
操作パネルユニット１０は、図５に示すように、上方に張り出す一対の第１爪片１８、１８と、下方に張り出す第２爪片１９とを備えている。操作パネルユニット１０の第１爪片１８、１８は、図４及び図５に示すように、基板ケース９の上壁部１７ａに形成されている第１係止孔２０、２０に係止する。操作パネルユニット１０の第２爪片１９は、基板ケース９の下壁部１７ｂに形成されている第２係止孔２１に係止する。これにより、操作パネルユニット１０は、基板ケース９から取り外し可能な状態で基板ケース９に連結される。
【００２８】
この状態で、図３に示すように、基板ケース９の上壁部１７ａと右壁部１７ｄと下壁部１７ｂとの前端面が、操作パネルユニット１０の上辺側の縁部と右辺側の縁部と下辺側の縁部との夫々の後面に当接する。これにより、操作パネルユニット１０は、基板ケース９の内部方向への撓みや歪みが抑えられた状態で基板ケース９に支持される。
【００２９】
なお、基板ケース９の第１係止孔２０、２０及び第２係止孔２１は、本発明の連結部に相当し、操作パネルユニット１０の第１爪片１８、１８及び第２爪片１９は、本発明の被連結部に相当する。また、本実施形態においては、基板ケース９からの操作パネルユニット１０の取り外しを容易とするために、基板ケース９の第１係止孔２０、２０及び第２係止孔２１を本発明の連結部とし、操作パネルユニット１０の第１爪片１８、１８及び第２爪片１９を本発明の被連結部として採用したが、本発明の連結部や被連結部はこれに限るものではなく、図示しないが、ねじ部材等の締結部材を用いて操作パネルユニット１０を連結するねじ穴部や、その他の連結部材による連結構造を本発明の連結部及び被連結部として採用してもよい。
【００３０】
また、図４に示すように、基板ケース９の底部１６には、柱状支持部２２が設けられている。柱状支持部２２は、底部１６から前方に向かって延びている。柱状支持部２２の先端（前端）は、図３に示すように、操作パネルユニット１０の左辺側の縁部の後面に当接する。
【００３１】
これによれば、基板ケース９の３つの壁部１７ａ，１７ｂ，１７ｄ及び柱状支持部２２で操作パネルユニット１０の４辺の縁部を支えることができ、操作パネルユニット１０の撓みや歪み等の変形を確実に防止することができる。よって、従来のような金属製のブラケットが不要となり、部品点数及び組立作業工数が削減できるので低コストとして、しかも、操作パネルユニット１０の保持状態を強固に維持することができる。
【００３２】
更に、操作パネルユニット１０を基板ケース９に連結支持したことにより、操作パネルユニット１０が備える操作制御基板と、基板ケース９に収容された運転制御基板１１との距離が比較的短いので、操作制御基板と運転制御基板１１とを電気的に接続するリード線の長さを短くすることができる。
【００３３】
また、基板ケース９は、筐体８内部にあっても、燃焼室３や熱交換器４からの熱、バーナ２の点火器（図示せず）の火花放電時のノイズ等による悪影響を運転制御基板１１が受けないように、燃焼室３や熱交換器４から比較的遠い位置にある低温度領域に設けられる。操作パネルユニット１０を基板ケース９に連結支持することで、操作パネルユニット１０を筐体８内部の低温度領域に設置することができ、操作パネルユニット１０への熱や点火時ノイズ等による悪影響を低く抑えることができる。
【００３４】
また、図３に示すように、操作パネルユニット１０は、基板ケース９に連結されているとき、運転制御基板１１の前方の一部を開放しているので、操作パネルユニット１０を取り外すことなく運転制御基板１１のメンテナンス作業等を行うことができる。なお、運転制御基板１１の一部を開放する場合、図５に仮想線で示すように、操作パネルユニット１０の一部に開放部１０ａを形成してもよい。
【００３５】
また、運転制御基板１１における各種設定時やメンテナンス作業時には、基板ケース９に連結されている操作パネルユニット１０の表示部１４を用いて、各種の情報を確認することができるので、その際の作業を効率よく行うことができる。
【００３６】
また、基板ケース９の前面は、図示しないが、蓋板により覆われる。蓋板は、操作パネルユニット１０が覆う部分以外の領域を覆って、基板ケース９の内部への塵埃等の浸入を防止している。蓋板は操作パネルユニット１０が覆う部分以外の領域を覆えばよいので、基板ケース９の前面全面を覆う場合に比べてその形状を小さくすることができ、これによっても蓋版の材料コストを削減して低コストとすることができる。
【符号の説明】
【００３７】
１…熱源機、８…筐体、９…基板ケース、１０…操作パネルユニット、１１…運転制御基板、１２…操作パネル、１５…前面パネル、１５ａ…窓穴、１６…底部、１７…壁部、１８…第１爪片（被連結部）、１９…第２爪片（被連結部）、２０…第１係止孔（連結部）、２１…第２係止孔（連結部）、２２…柱状支持部。
【図１】
2019211181.tif 000003
【図２】
2019211181.tif 000004
【図３】
2019211181.tif 000005
【図４】
2019211181.tif 000006
【図５】
2019211181.tif 000007